【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】
第１の記憶手段の所定の記憶領域に記憶されるデータの出力制限をする出力制限手段と、
上記出力制限手段の出力制限を解除する出力制限解除手段と、
外部制御装置とのインターフェースである入出力手段と、
上記出力制限手段、及び、上記出力制限解除手段、及び、上記入出力手段と所定の内部信号伝送路で接続された内部制御手段とを備え、
上記出力制限解除手段は、上記所定の内部信号伝送路を介した上記内部制御手段による要求によってのみ上記出力制限手段の出力制限を解除すること
を特徴とするデータ出力制限装置。
【請求項２】
上記内部制御手段と、上記出力制限解除手段とを接続する上記所定の内部信号伝送路の伝送路幅は、上記外部制御装置とのインターフェースである上記入出力手段と、上記出力制限解除手段とを接続する上記所定の内部信号伝送路の伝送路幅より広いこと
を特徴とする請求項１記載のデータ出力制限装置。
【請求項３】
上記内部制御手段は、外部から供給され、プログラムローダーによって第２の記憶手段にロードされる暗号化された解除プログラムを実行することで認証用の鍵データを取得し、
取得した上記鍵データと、データ書き込み単位毎に出力される上記鍵データの書き込み要求をする書き込み信号とを、上記出力制限解除手段に出力することで上記出力制限解除手段に制限の解除を要求すること
を特徴とする請求項２記載のデータ出力制限装置。
【請求項４】
上記出力制限解除手段は、上記内部制御手段から出力される上記書き込み信号の本数に基づいて、上記内部制御手段から制限の解除を要求されたことを判定し、
さらに、上記内部制御手段から出力される上記鍵データを認証した場合に、上記出力制限手段の出力制限を解除すること
を特徴とする請求項３記載のデータ出力制限装置。
【請求項５】
上記暗号化された解除プログラムを上記第２の記憶手段にロードする上記プログラムローダーが所定の記憶領域に記憶された第３の記憶手段を備え、
上記第３の記憶手段の上記プログラムローダーが記憶された上記所定の記憶領域は、マスク処理されていること
を特徴とする請求項３記載のデータ出力制限装置。
【請求項６】
上記内部制御手段と、上記出力制限解除手段とを接続する上記所定の内部信号伝送路の伝送路幅は、上記外部制御装置とのインターフェースである上記入出力手段と上記出力制限解除手段とを接続する上記所定の内部信号伝送路の伝送路幅と同じであり、
上記入出力手段は、上記外部制御装置からの要求に応じて、上記出力制限解除手段に接続される上記所定の内部信号伝送路で使用可能な伝送路幅を減少させること
を特徴とする請求項１記載のデータ出力制限装置。
【請求項７】
上記内部制御手段は、外部から供給され、プログラムローダーによって第２の記憶手段にロードされる暗号化された解除プログラムを実行することで認証用の鍵データを取得し、
取得した上記鍵データと、データ書き込み単位毎に出力される上記鍵データの書き込み要求をする書き込み信号とを、上記出力制限解除手段に出力することで上記出力制限解除手段に制限の解除を要求すること
を特徴とする請求項６記載のデータ出力制限装置。
【請求項８】
上記出力制限解除手段は、上記内部制御手段から出力される上記書き込み信号の本数に基づいて、上記内部制御手段から制限の解除を要求されたことを判定し、
さらに、上記内部制御手段から出力される上記鍵データを認証した場合に、上記出力制限手段の出力制限を解除すること
を特徴とする請求項７記載のデータ出力制限装置。
【請求項９】
上記暗号化された解除プログラムを上記第２の記憶手段にロードする上記プログラムローダーが所定の記憶領域に記憶された第３の記憶手段を備え、
上記第３の記憶手段の上記プログラムローダーが記憶された上記所定の記憶領域は、マスク処理されていること
を特徴とする請求項７記載のデータ出力制限装置。
【請求項１０】
上記所定の内部信号伝送路の使用権限を管理する信号伝送路管理手段を備え、
上記出力制限解除手段は、上記信号伝送路管理手段によって上記内部制御手段に上記所定の内部信号伝送路の使用権限が与えられた場合に、上記内部制御手段からの制限を解除する要求を許可すること
を特徴とする請求項１記載のデータ出力制限装置。
【請求項１１】
上記内部制御手段は、外部から供給され、プログラムローダーによって第２の記憶手段にロードされる暗号化された解除プログラムを実行することで認証用の鍵データを取得し、
取得した上記鍵データと、上記鍵データの書き込みを要求する書き込み信号とを上記所定の内部信号伝送路の使用権限が与えられた際に、上記出力制限解除手段に出力することで、上記出力制限解除手段に制限の解除を要求し、
上記出力制限解除手段は、上記内部制御手段からの制限を解除する要求を許可し、
さらに、上記内部制御手段から出力される上記鍵データを認証した場合に、上記出力制限手段の出力制限を解除すること
を特徴とする請求項１０記載のデータ出力制限装置。
【請求項１２】
上記暗号化された解除プログラムを上記第２の記憶手段にロードする上記プログラムローダーが所定の記憶領域に記憶された第３の記憶手段を備え、
上記第３の記憶手段の上記プログラムローダーが記憶された上記所定の記憶領域は、マスク処理されていること
を特徴とする請求項１１記載のデータ出力制限装置。
【請求項１３】
第１の記憶手段の所定の記憶領域に記憶されるデータの出力制限をする出力制限手段と、
上記出力制限手段の出力制限を解除する出力制限解除手段と、
外部制御装置とのインターフェースである入出力手段と、
上記出力制限手段、及び、上記出力制限解除手段、及び、上記入出力手段と所定の内部信号伝送路で接続された内部制御手段とが集積化され、
上記出力制限解除手段は、上記所定の内部信号伝送路を介した上記内部制御手段による要求によってのみ上記出力制限手段の出力制限を解除すること
を特徴とする回路素子。
【請求項１４】
上記内部制御手段と、上記出力制限解除手段とを接続する上記所定の内部信号伝送路の伝送路幅は、上記外部制御装置とのインターフェースである上記入出力手段と、上記出力制限解除手段とを接続する上記所定の内部信号伝送路の伝送路幅より広いこと
を特徴とする請求項１３記載の回路素子。
【請求項１５】
上記内部制御手段は、外部から供給され、プログラムローダーによって第２の記憶手段にロードされる暗号化された解除プログラムを実行することで認証用の鍵データを取得し、
取得した上記鍵データと、データ書き込み単位毎に出力される上記鍵データの書き込み要求をする書き込み信号とを、上記出力制限解除手段に出力することで上記出力制限解除手段に制限の解除を要求すること
を特徴とする請求項１４記載の回路素子。
【請求項１６】
上記出力制限解除手段は、上記内部制御手段から出力される上記書き込み信号の本数に基づいて、上記内部制御手段から制限の解除を要求されたことを判定し、
さらに、上記内部制御手段から出力される上記鍵データを認証した場合に、上記出力制限手段の出力制限を解除すること
を特徴とする請求項１５記載の回路素子。
【請求項１７】
上記暗号化された解除プログラムを上記第２の記憶手段にロードする上記プログラムローダーが所定の記憶領域に記憶された第３の記憶手段が集積化され、
上記第３の記憶手段の上記プログラムローダーが記憶された上記所定の記憶領域は、マスク処理されていること
を特徴とする請求項１５記載の回路素子。
【請求項１８】
上記内部制御手段と、上記出力制限解除手段とを接続する上記所定の内部信号伝送路の伝送路幅は、上記外部制御装置とのインターフェースである上記入出力手段と上記出力制限解除手段とを接続する上記所定の内部信号伝送路の伝送路幅と同じであり、
上記入出力手段は、上記外部制御装置からの要求に応じて、上記出力制限解除手段に接続される上記所定の内部信号伝送路で使用可能な伝送路幅を減少させること
を特徴とする請求項１３記載の回路素子。
【請求項１９】
上記内部制御手段は、外部から供給され、プログラムローダーによって第２の記憶手段にロードされる暗号化された解除プログラムを実行することで認証用の鍵データを取得し、
取得した上記鍵データと、データ書き込み単位毎に出力される上記鍵データの書き込み要求をする書き込み信号とを、上記出力制限解除手段に出力することで上記出力制限解除手段に制限の解除を要求すること
を特徴とする請求項１８記載の回路素子。
【請求項２０】
上記出力制限解除手段は、上記内部制御手段から出力される上記書き込み信号の本数に基づいて、上記内部制御手段から制限の解除を要求されたことを判定し、
さらに、上記内部制御手段から出力される上記鍵データを認証した場合に、上記出力制限手段の出力制限を解除すること
を特徴とする請求項１９記載の回路素子。
【請求項２１】
上記暗号化された解除プログラムを上記第２の記憶手段にロードする上記プログラムローダーが所定の記憶領域に記憶された第３の記憶手段が集積化され、
上記第３の記憶手段の上記プログラムローダーが記憶された上記所定の記憶領域は、マスク処理されていること
を特徴とする請求項１９記載の回路素子。
【請求項２２】
上記所定の内部信号伝送路の使用権限を管理する信号伝送路管理手段を備え、
上記出力制限解除手段は、上記信号伝送路管理手段によって上記内部制御手段に上記所定の内部信号伝送路の使用権限が与えられた場合に、上記内部制御手段からの制限を解除する要求を許可すること
を特徴とする請求項１３記載の回路素子。
【請求項２３】
上記内部制御手段は、外部から供給され、プログラムローダーによって第２の記憶手段にロードされる暗号化された解除プログラムを実行することで認証用の鍵データを取得し、
取得した上記鍵データと、上記鍵データの書き込みを要求する書き込み信号とを上記所定の内部信号伝送路の使用権限が与えられた際に、上記出力制限解除手段に出力することで、上記出力制限解除手段に制限の解除を要求し、
上記出力制限解除手段は、上記内部制御手段からの制限を解除する要求を許可し、
さらに、上記内部制御手段から出力される上記鍵データを認証した場合に、上記出力制限手段の出力制限を解除すること
を特徴とする請求項２２記載の回路素子。
【請求項２４】
上記暗号化された解除プログラムを上記第２の記憶手段にロードする上記プログラムローダーが所定の記憶領域に記憶された第３の記憶手段が集積化され、
上記第３の記憶手段の上記プログラムローダーが記憶された上記所定の記憶領域は、マスク処理されていること
を特徴とする請求項２３記載の回路素子。
【請求項２５】
第１の記憶手段の所定の記憶領域に記憶される所定のデータの出力を制限し、
上記第１の記憶手段の所定の記憶領域に記憶される上記所定のデータの出力制限を解除する出力制限解除手段は、外部制御装置とのインターフェースである入出力手段及び所定の内部信号伝送路を介して制限を解除する要求があった場合、上記第１の記憶手段の所定の記憶領域に記憶されている上記データの出力制限を継続し、
内部制御手段から所定の内部信号伝送路を介して制限を解除する要求があった場合にのみ、上記第１の記憶手段の所定の記憶領域に記憶されている上記データの出力制限を解除すること
を特徴とするデータ出力制限方法。
【請求項２６】
上記内部制御手段と、上記出力制限解除手段とを接続する上記所定の内部信号伝送路の伝送路幅が、上記外部制御装置とのインターフェースである上記入出力手段と、上記出力制限解除手段とを接続する上記所定の内部信号伝送路の伝送路幅より広い場合、
上記内部制御手段は、外部から供給され、プログラムローダーによって第２の記憶手段にロードされる暗号化された解除プログラムを実行することで認証用の鍵データを取得し、
取得した上記鍵データと、データ書き込み単位毎に出力される上記鍵データの書き込み要求をする書き込み信号とを、上記出力制限解除手段に出力することで上記出力制限解除手段に制限の解除を要求し、
上記出力制限解除手段は、上記内部制御手段から出力される上記書き込み信号の本数に基づいて、上記内部制御手段から制限の解除を要求されたことを判定し、
さらに、上記内部制御手段から出力される上記鍵データを認証した場合に、出力制限を解除すること
を特徴とする請求項２５記載のデータ出力制限方法。
【請求項２７】
上記内部制御手段と、上記出力制限解除手段とを接続する上記所定の内部信号伝送路の伝送路幅が、上記外部制御装置のインターフェースである上記入出力手段と上記出力制限解除手段とを接続する上記所定の内部信号伝送路の伝送路幅と同じ場合、
上記入出力手段は、上記外部制御装置からの制限を解除する要求に応じて、上記出力制限解除手段に接続される上記所定の内部信号伝送路で使用可能な伝送路幅を減少させ、
上記内部制御手段は、外部から供給され、プログラムローダーによって第２の記憶手段にロードされる暗号化された解除プログラムを実行することで認証用の鍵データを取得し、
取得した上記鍵データと、データ書き込み単位毎に出力される上記鍵データの書き込み要求をする書き込み信号とを、上記出力制限解除手段に出力することで上記出力制限解除手段に制限の解除を要求し、
上記出力制限解除手段は、上記内部制御手段から出力される上記書き込み信号の本数に基づいて、上記内部制御手段から制限の解除を要求されたことを判定し、
さらに、上記内部制御手段から出力される上記鍵データを認証した場合に、上記出力制限手段の出力制限を解除すること
を特徴とする請求項２５記載のデータ出力制限方法。
【請求項２８】
上記内部制御手段は、外部から供給され、プログラムローダーによって第２の記憶手段にロードされる暗号化された解除プログラムを実行することで認証用の鍵データを取得し、
取得した上記鍵データと、上記鍵データの書き込みを要求する書き込み信号とを上記所定の内部信号伝送路の使用権限が与えられた際に、上記出力制限解除手段に出力することで、上記出力制限解除手段に制限の解除を要求し、
上記出力制限解除手段は、上記内部制御手段から制限の解除を要求されたことを許可し、
さらに、上記内部制御手段から出力される上記鍵データを認証した場合に、上記出力制限手段の出力制限を解除すること
を特徴とする請求項２５記載のデータ出力制限方法。
【請求項２９】
外部装置との信号入出力を制御する入出力インターフェース手段と、
記憶手段と、
上記記憶手段に記録されたデータを処理する内部制御手段と、
上記入出力インターフェース手段を介して外部装置から上記記憶手段の所定の記憶領域に記憶されたデータの出力要求を制限するとともに、上記内部制御手段からの上記記憶手段の上記所定の記憶領域に記憶されたデータの出力要求の制限を解除する制限手段と
を備えるデータ処理装置。
【手続補正２】
【補正対象書類名】明細書
【補正対象項目名】００１３
【補正方法】変更
【補正の内容】
【００１３】
【課題を解決するための手段】
上述の目的を達成するために、本発明に係るデータ出力制限装置は、第１の記憶手段の所定の記憶領域に記憶されるデータの出力制限をする出力制限手段と、上記出力制限手段の出力制限を解除する出力制限解除手段と、外部制御装置とのインターフェースである入出力手段と、上記出力制限手段、及び、上記出力制限解除手段、及び、上記入出力手段と所定の内部信号伝送路で接続された内部制御手段とを備え、上記出力制限解除手段は、上記所定の内部信号伝送路を介した上記内部制御手段による要求によってのみ上記出力制限手段の出力制限を解除することを特徴とする。
【手続補正３】
【補正対象書類名】明細書
【補正対象項目名】００１４
【補正方法】変更
【補正の内容】
【００１４】
上述の目的を達成するために、本発明に係る回路素子は、第１の記憶手段の所定の記憶領域に記憶されるデータの出力制限をする出力制限手段と、上記出力制限手段の出力制限を解除する出力制限解除手段と、外部制御装置とのインターフェースである入出力手段と、上記出力制限手段、及び、上記出力制限解除手段、及び、上記入出力手段と所定の内部信号伝送路で接続された内部制御手段とが集積化され、上記出力制限解除手段は、上記所定の内部信号伝送路を介した上記内部制御手段による要求によってのみ上記出力制限手段の出力制限を解除することを特徴とする。
【手続補正４】
【補正対象書類名】明細書
【補正対象項目名】００１５
【補正方法】変更
【補正の内容】
【００１５】
上述の目的を達成するために、本発明係るデータ出力制限方法は、第１の記憶手段の所定の記憶領域に記憶される所定のデータの出力を制限し、上記第１の記憶手段の所定の記憶領域に記憶される上記所定のデータの出力制限を解除する出力制限解除手段は、外部制御装置とのインターフェースである入出力手段及び所定の内部信号伝送路を介して制限を解除する要求があった場合、上記第１の記憶手段の所定の記憶領域に記憶されている上記データの出力制限を継続し、内部制御手段から所定の内部信号伝送路を介して制限を解除する要求があった場合にのみ、上記第１の記憶手段の所定の記憶領域に記憶されている上記データの出力制限を解除することを特徴とする。
上述の目的を達成するために、本発明に係るデータ処理装置は、外部装置との信号入出力を制御する入出力インターフェース手段と、記憶手段と、上記記憶手段に記録されたデータを処理する内部制御手段と、上記入出力インターフェース手段を介して外部装置から上記記憶手段の所定の記憶領域に記憶されたデータの出力要求を制限するとともに、上記内部制御手段からの上記記憶手段の上記所定の記憶領域に記憶されたデータの出力要求の制限を解除する制限手段とを備える。
【手続補正５】
【補正対象書類名】明細書
【補正対象項目名】００８４
【補正方法】変更
【補正の内容】
【００８４】
【発明の効果】
以上の説明からも明らかなように、本発明のデータ出力制限装置及び回路素子は、内部制御手段による解除プログラムの実行により、出力制限解除手段に制限を解除する要求をした場合にのみ、第１の記憶手段の所定の記憶領域に記憶されているデータの出力制限が解除されるので、入出力手段を介した外部制御装置からの不当な要求によるデータの漏洩を防止することを可能とする。
【手続補正６】
【補正対象書類名】明細書
【補正対象項目名】００８５
【補正方法】変更
【補正の内容】
【００８５】
出力制限解除手段に対する内部制御手段からの内部信号伝送路の伝送路幅は、外部制御装置のインターフェースである入出力手段を介した内部信号伝送路の伝送路幅より広く構成されているため、内部制御手段によって１度の要求で書き込めるデータ量が外部制御装置による要求で書きこめるデータ量よりも必ず多くなる。
【手続補正７】
【補正対象書類名】明細書
【補正対象項目名】００８６
【補正方法】変更
【補正の内容】
【００８６】
したがって、データ書き込み単位毎に出力される書き込み信号の本数をカウントすることで、確実に内部制御手段からの要求であるのか、外部制御装置からの要求であるのかを判定することができるため、不当な要求によるデータ漏洩を防止することを可能とする。
【手続補正８】
【補正対象書類名】明細書
【補正対象項目名】００８７
【補正方法】変更
【補正の内容】
【００８７】
また、出力制限解除手段は、内部制御手段からの伝送路幅が、入出力手段を介した伝送路幅と同じである場合は、入出力手段によって、使用可能な伝送路幅が減少するよう制御されるため、同様に内部制御手段からの要求であるのか、外部制御装置からの要求であるのかを判定することができるため、不当な要求によるデータ漏洩を防止することを可能とする。
【手続補正９】
【補正対象書類名】明細書
【補正対象項目名】００８８
【補正方法】変更
【補正の内容】
【００８８】
さらに、第３の記憶手段の所定の記憶領域に、外部から供給される解除プログラムを第２の記憶手段にロードするプログラムローダーを記憶している場合、上記所定の記憶領域をマスク処理することで、不当な要求によって解除プログラムが注入されても、内部制御手段の出力制限解除手段への要求が不能となるため、出力制限されたデータの漏洩を完全に防止することを可能とする。
【手続補正１０】
【補正対象書類名】明細書
【補正対象項目名】００８９
【補正方法】変更
【補正の内容】
【００８９】
以上の説明からも明らかなように、本発明のデータ出力制御方法は、内部制御手段による解除プログラムの実行により、出力制限解除手段に制限の解除を要求した場合にのみ、第１の記憶手段の所定の記憶領域に記憶されているデータの出力制限が解除されるので、入出力手段を介した外部制御装置からの不当な要求によるデータの漏洩を防止することを可能とする。
【手続補正１１】
【補正対象書類名】明細書
【補正対象項目名】００９０
【補正方法】変更
【補正の内容】
【００９０】
出力制限解除手段に対する内部制御手段からの内部信号伝送路の伝送路幅は、外部制御装置のインターフェースである入出力手段を介した内部信号伝送路の伝送路幅より広く構成されているため、内部制御手段によって１度の要求で書き込めるデータ量が外部制御装置による要求で書きこめるデータ量よりも必ず多くなる。
【手続補正１２】
【補正対象書類名】明細書
【補正対象項目名】００９１
【補正方法】変更
【補正の内容】
【００９１】
したがって、データ書き込み単位毎に出力される書き込み信号の本数をカウントすることで、確実に内部制御手段からの要求であるのか、外部制御装置からの要求であるのかを判定することができるため、不当な要求によるデータ漏洩を防止することを可能とする。
【手続補正１３】
【補正対象書類名】明細書
【補正対象項目名】００９２
【補正方法】変更
【補正の内容】
【００９２】
また、出力制限解除手段は、内部制御手段からの伝送路幅が、入出力手段を介した伝送路幅と同じである場合は、入出力手段によって、使用可能な伝送路幅が減少するよう制御されるため、同様に内部制御手段からの要求であるのか、外部制御装置からの要求であるのかを判定することができるため、不当な要求によるデータ漏洩を防止することを可能とする。